(57)【要約】【課題】入力された枚数を確実に印刷できる印刷方法及びプリンターを提案すること。【解決手段】プリンターは、インクカートリッジ４内のインク残量を検出するインク残量検出部２４と、印刷対象データを色変換してインク量データを生成する色変換処理部２３と、色変換処理に用いる色変換ＬＵＴを設定する色変換ＬＵＴ設定部２６を備える。色変換ＬＵＴ設定部２６は、検出したインク残量と、入力された印刷枚数および印刷対象データに基づき、印刷実行用色変換ＬＵＴを決定する。印刷実行用色変換ＬＵＴとしては、記憶部２５から読み出した基準色変換ＬＵＴ、あるいは、基準色変換ＬＵＴを補正して生成した補正色変換ＬＵＴを用いる。補正色変換ＬＵＴは、入力された印刷対象データを入力された印刷枚数だけ印刷するときに消費される総インク消費量が、４色全てについてインク残量を上回らないように決定される。【選択図】図２
2014166685.tif 000002
【特許請求の範囲】
【請求項１】
印刷枚数および印刷対象データを入力するとともに、インクを複数色貯留するインクカートリッジにおけるインクの残量を検出し、
当該検出したインクの残量、前記印刷枚数、および、前記印刷対象データに基づき、当該印刷対象データの印刷に用いる色変換テーブルを生成あるいは選択し、
当該生成あるいは選択された色変換テーブルを用いて前記印刷対象データを色変換したインク量データに基づいて印刷ヘッドからインクを吐出して、前記印刷対象データを印刷することを特徴とする印刷方法。
【請求項２】
１の色のインクに対応するインク量が異なる色変換テーブルを複数設定もしくは生成し、
前記検出したインクの残量、前記印刷枚数、および、前記印刷対象データに基づき、前記複数設定もしくは生成した色変換テーブルのうちの１つを、前記選択された色変換テーブルとする請求項１に記載の印刷方法。
【請求項３】
前記検出したインクの残量、前記印刷枚数、および、前記印刷対象データに基づき、インク量を補正する補正係数を決定し、
当該補正係数を用いて予め記憶された色変換テーブルに定められたインク量を補正して、前記生成された色変換テーブルとする請求項１に記載の印刷方法。
【請求項４】
印刷枚数が入力される印刷枚数入力部と、
インクを複数色貯留するインクカートリッジと、
当該インクカートリッジに貯留されるインクの残量を検出するインク残量検出部と、
当該検出したインクの残量、前記印刷枚数、および、前記印刷対象データに基づき、当該印刷対象データの印刷に用いる色変換テーブルを生成あるいは選択する色変換テーブル設定部と、
前記生成もしくは選択された色変換テーブルを用いて、前記印刷対象データをインク量データに変換する色変換処理部と、を有することを特徴とするプリンター。
【請求項５】
１の色のインクに対応するインク量が異なる色変換テーブルを複数記憶する記憶部を有し、
前記色変換テーブル設定部は、
前記検出したインクの残量、前記印刷枚数、および、前記印刷対象データに基づき、前記複数の色変換テーブルのうちの１つを、前記選択された色変換テーブルとする請求項４に記載のプリンター。
【請求項６】
予め設定した色変換テーブルを記憶する記憶部を有し、
前記色変換テーブル設定部は、
前記検出したインクの残量、前記印刷枚数、および、前記印刷対象データに基づき、インク量を補正する補正係数を決定し、
当該補正係数を用いて前記記憶部に記憶された色変換テーブルに定められたインク量を補正して、前記生成された色変換テーブルとする請求項４に記載のプリンター。
【発明の詳細な説明】
【技術分野】
【０００１】
本発明は、複数色のインクを用いて印刷するプリンターあるいは印刷システムの制御に関する。
【背景技術】
【０００２】
インクジェットプリンターにおいて、シアン（Ｃ）、マゼンダ（Ｍ）、イエロー（Ｙ）、黒（Ｋ）の４色のインクを色別のカートリッジに入れたものをセットにしたＣＭＹＫ一体型カートリッジが用いられている。このようなＣＭＹＫ一体型カートリッジを用いる場合、インクが均等に減っていけば無駄なくインクを使い切ることができるが、印刷内容によっては、一部のインクが減る片減り状態になってしまう。ＣＭＹＫ一体型カートリッジは、一種類でもインクがなくなると他のインクが残っていてもカートリッジ全体を交換しなければならない。このため、インクの片減りによって廃棄インクが多くなるおそれがあると共に、カートリッジ毎の印刷可能枚数が少なくなるおそれがある。
【０００３】
また、インクジェットプリンターでカラー印刷を行う場合、印刷データを生成するプリンタードライバーにおいて、画像データ等の画素毎に、ＲＧＢ表色系で示された色データを、複数色のインク（例えば、ＣＹＭＫの４色のインク）のインク量データに変換する色変換処理を行う。色変換処理は、予め作成しておいた色変換ルックアップテーブル（以下、色変換ＬＵＴという）に基づいて行われる。色変換処理によって取得したインク量データに基づき、各色のインクで印刷するドットを決定するハーフトーン処理、および、ハーフトーンデータをインクジェットヘッドの各インクノズルに割り当てるラスタライズ処理が行われ、印刷データが生成される。
【０００４】
ここで、特許文献１には、インクの片減りを抑制する印刷モードを備えた印刷装置（印刷システム）が開示されている。この印刷装置は、黒（Ｋ）インクとして、マットブラックインク（以下、ＭＫインクという）と、フォトブラックインク（以下、ＰＫインクという）の２種類を用いる。通常は、記録紙がマット紙の場合には、ＭＫインクのみを使用して印刷し、記録紙が光沢紙の場合には、ＭＫインクとＰＫインクを使用して印刷を行う。また、記録紙がマット紙のとき、ユーザーが設定を変えることにより、ＭＫインク節約モードで印刷することができる。ＭＫインク節約モードでは、ＭＫインクの使用量の一部をＰＫインクに振り分けるため、インクの片減りを抑制あるいは解消できる。
【先行技術文献】
【特許文献】
【０００５】
【特許文献１】特開２０１２−１９６８１３号公報
【発明の概要】
【発明が解決しようとする課題】
【０００６】
特許文献１の構成では、ＭＫインク節約モードにおけるインクの振り分け量は事前に決定されている。従って、インクの片減りを抑制して印刷可能枚数を増やすことはできるものの、印刷可能枚数を十分に増やすことができないおそれがあり、希望する枚数を印刷できないおそれがある。インクの振り分け量を多く設定しておけば印刷可能枚数は多くなるが、その反面、通常モードで印刷した場合との画質の違いが大きくなる。よって、印刷品質の低下が問題となる。印刷品質と印刷可能枚数をバランス良く調整することが望ましいが、このような調整をユーザーが手動で行うのは困難である。
【０００７】
また、特許文献１の構成は、同系色のインクの片減りを抑制できるものにすぎない。従って、ＣＹＭＫの４色を用いるプリンターにおけるインクの片減り対策には有効でない。
【０００８】
本発明の課題は、このような点に鑑みて、印刷品質を過剰に低下させずに確実に希望する枚数を印刷できるようにすることのできる印刷方法及びプリンターを提案することにある。
【課題を解決するための手段】
【０００９】
上記課題を解決するため、本発明の印刷方法は、
印刷枚数および印刷対象データを入力するとともに、インクを複数色貯留するインクカートリッジにおけるインクの残量を検出し、
当該検出したインクの残量、前記印刷枚数、および、前記印刷対象データに基づき、当該印刷対象データの印刷に用いる色変換テーブルを生成あるいは選択し、
当該生成あるいは選択された色変換テーブルを用いて前記印刷対象データを色変換したインク量データに基づいて印刷ヘッドからインクを吐出して、前記印刷対象データを印刷することを特徴としている。
【００１０】
また、本発明のプリンターは、
印刷枚数が入力される印刷枚数入力部と、
インクを複数色貯留するインクカートリッジと、
当該インクカートリッジに貯留されるインクの残量を検出するインク残量検出部と、
当該検出したインクの残量、前記印刷枚数、および、前記印刷対象データに基づき、当該印刷対象データの印刷に用いる色変換テーブルを生成あるいは選択する色変換テーブル設定部と、
前記生成もしくは選択された色変換テーブルを用いて、前記印刷対象データをインク量データに変換する色変換処理部と、を有することを特徴としている。
【００１１】
本発明は、このように、インクの残量、印刷枚数、印刷対象データに基づき、指定された印刷枚数を確実に印刷できるように、且つ、過剰にインク消費量を減らすことがないように印刷対象データの印刷に用いる色変換テーブルを決定できる。従って、インクの片減りを抑制して印刷枚数を増やすことができ、印刷品質を過剰に低下させることなく確実に希望する枚数を印刷できる。
【００１２】
本発明の印刷方法において、１の色のインクに対応するインク量が異なる色変換テーブルを複数設定もしくは生成し、前記検出したインクの残量、前記印刷枚数、および、前記印刷対象データに基づき、前記複数設定もしくは生成した色変換テーブルのうちの１つを、前記選択された色変換テーブルとすることができる。また、本発明のプリンターにおいて、１の色のインクに対応するインク量が異なる色変換テーブルを複数記憶する記憶部を有し、前記色変換テーブル設定部は、前記検出したインクの残量、前記印刷枚数、および、前記印刷対象データに基づき、前記複数の色変換テーブルのうちの１つを、前記選択された色変換テーブルとすることができる。このように、異なるインク量で印刷できる複数の色変換テーブルを設定して、この中から色変換テーブルを選択することにより、印刷枚数を確保しつつ、印刷品質の不必要な劣化を抑制できる。
【００１３】
また、本発明の印刷方法において、前記検出したインクの残量、前記印刷枚数、および、前記印刷対象データに基づき、インク量を補正する補正係数を決定し、当該補正係数を用いて予め記憶された色変換テーブルに定められたインク量を補正して、前記生成された色変換テーブルとすることができる。また、本発明のプリンターにおいて、予め設定した色変換テーブルを記憶する記憶部を有し、前記色変換テーブル設定部は、前記検出したインクの残量、前記印刷枚数、および、前記印刷対象データに基づき、インク量を補正する補正係数を決定し、当該補正係数を用いて前記記憶部に記憶された色変換テーブルに定められたインク量を補正して、前記生成された色変換テーブルとすることができる。このようにすると、印刷枚数を確保しつつ、印刷品質の不必要な劣化を抑制できる。
【００１４】
本発明によれば、インクの残量、印刷枚数、印刷対象データに基づき、指定された印刷枚数を確実に印刷できるように、且つ、過剰にインク消費量を減らすことがないように印刷対象データの印刷に用いる色変換テーブルを決定できる。従って、インクの片減りを抑制して印刷枚数を増やすことができ、印刷品質を過剰に低下させることなく確実に希望する枚数を印刷できる。
【図面の簡単な説明】
【００１５】
【図１】本発明を適用した印刷システムの概略ブロック図である。
【図２】印刷対象データの印刷処理のフローチャートである。
【発明を実施するための形態】
【００１６】
以下に、図面を参照して、本発明を適用した印刷システムおよびプリンター、ならびにその印刷方法の実施の形態を説明する。
【００１７】
（印刷システム）
図１は本発明を適用した印刷システムの概略ブロック図である。本例の印刷システム１は、ホストコンピューター２と、このホストコンピューター２に接続されたインクジェットプリンター３を備えている。インクジェットプリンター３は、シアンインクＣ、マゼンダインクＭ、イエローインクＹおよび黒インクＫの４色のインクを充填した一体型のインクカートリッジ４を装着するカートリッジ装着部５と、インクカートリッジ４から供給される４色のインクを記録紙に向けて吐出するインクジェットヘッド６と、インクジェットプリンター３の各部を統括制御する制御部７を備えている。
【００１８】
ホストコンピューター２には、ディスプレイ８と、キーボードやマウスなどの入力装置９が接続されている。入力装置９としては、ディスプレイ８を構成するＬＣＤパネルの表面に配置したタッチパネルを用いることもできる。
【００１９】
ホストコンピューター２では、ＯＳ１０（オペレーティングシステム）、アプリケーションプログラム１１およびプリンタードライバー１２が動作している。アプリケーションプログラム１１は画像データあるいは画像データを含む文書データ等を作成するためのソフトウエアであり、ＯＳ１０上で動作している。プリンタードライバー１２は、ＯＳ１０を介して、アプリケーションプログラム１１から出力される画像、文書等の印刷対象データを印刷指令と共に受け取る。プリンタードライバー１２は受け取ったデータを印刷データに変換し、この印刷データをインクジェットプリンター３に出力する。インクジェットプリンター３は、受け取った印刷データに基づき、画像、文書等を印刷する。
【００２０】
（プリンタードライバー）
図１に示すように、プリンタードライバー１２はドライバー上位層２１と、画像処理モジュール２２を備えている。ドライバー上位層２１はアプリケーションプログラム１１から印刷指令と共に供給された印刷対象データをレンダリング処理し、印刷対象データの各画素をＲＧＢ多値データ（ＲＧＢ表色系の色データ）に変換する。画像処理モジュール２２は、ドライバー上位層２１から供給されるＲＧＢ多値データを各色のインク量データに変換し、更に、このインク量データを印刷データに変換してインクジェットプリンター３に出力する。画像処理モジュール２２は、色変換処理部２３、インク残量検出部２４、記憶部２５、色変換ＬＵＴ設定部２６（色変換テーブル設定部）、コマンド変換部２７、印刷枚数入力部２８等を備えている。
【００２１】
色変換処理部２３は、色変換ＬＵＴ設定部２６によって設定された印刷実行用色変換ＬＵＴを参照して、各画素のＲＧＢ多値データを各色のインク（シアンインクＣ、マゼンダインクＭ、イエローインクＹおよび黒インクＫ）のインク量データに変換する。色変換処理部２３から出力されるインク量データは、画像データの各画素を記録用紙上に印刷する際の各インクの吐出量である。
【００２２】
インク残量検出部２４は、アプリケーションプログラム１１から印刷指令および印刷対象データを受け取ると、印刷指令に基づき、インクジェットプリンター３に装填されているインクカートリッジ４内のインク残量をインクの色毎に取得する。例えば、インクジェットプリンター３の制御部７は、インクジェットヘッド６の印刷動作中にインクジェットヘッド６からの各色のインク吐出量を監視しており、インクカートリッジ４に搭載されたＩＣチップ（ＣＳＩＣ）に各色のインク吐出量の累積値を記録する。そこで、インク残量検出部２４は、ＣＳＩＣから読み出したインク吐出量の累積値を制御部７から取得し、インク残量を算出する。あるいは、インク残量検出部２４は、印刷データに基づいてインク残量を算出することもできる。すなわち、直近のインクカートリッジ４の交換タイミング以降に印刷された印刷データからインク吐出量を算出し、この値に基づいてインク残量を検出する。
【００２３】
印刷枚数入力部２８は、アプリケーションプログラム１１から印刷指令および印刷対象データを受け取ると、ディスプレイ８にダイアログボックスを表示して、入力装置９からの印刷枚数の入力を受け付ける。
【００２４】
記憶部２５は、基準色変換ＬＵＴ（予め記憶された色変換テーブル）を記憶している。色変換ＬＵＴ設定部２６は、色変換処理部２３が色変換処理を行う際に参照する色変換ＬＵＴ（印刷対象データの印刷に用いる色変換ＬＵＴ：以下、印刷実行用色変換ＬＵＴという）を設定する処理を行う。印刷実行用色変換ＬＵＴとしては、記憶部２５から読み出した基準色変換ＬＵＴを用いるか、あるいは、基準色変換ＬＵＴを補正して生成した補正色変換ＬＵＴを用いる。色変換ＬＵＴ設定部２６は、色変換ＬＵＴの設定を行うにあたって、基準色変換ＬＵＴを用いて印刷した場合に、入力された印刷枚数の印刷によって消費される総インク消費量が、現在のインク残量よりも多いか否かを判定し、多い場合には、補正色変換ＬＵＴを生成して、印刷実行用色変換ＬＵＴに設定する。各色変換テーブルの具体的構成、および、補正色変換ＬＵＴの生成処理については後述する。
【００２５】
コマンド変換部２７は、色変換処理部２３による印刷対象データ（ＲＧＢ多値データ）の色変換処理によって生成されたインク量データを印刷データに変換する。本例では、インクを記録紙に打ち込む際に、インクジェットヘッド６から記録紙に向かって吐出させるインク滴として大きさの異なる３種類（大、中、小）のインク滴を用いており、インク滴の大きさに対応した３種類（大、中、小）の印刷ドットを形成する。コマンド変換部２７は、各画素について、各色のインク量データに基づき、各色のインクによる印刷ドットの形成状況を決定するハーフトーン処理と、ハーフトーンデータをインクジェットヘッド６のノズル毎に割り当てるラスタライズ処理を行い、印刷データを生成する。
【００２６】
プリンタードライバー１２は、コマンド変換部２７により生成された印刷データをインクジェットプリンター３に出力する。インクジェットプリンター３の制御部７は、印刷データに基づいてインクジェットヘッド６を駆動制御して、印刷対象データを記録紙に印刷する。
【００２７】
（色変換ＬＵＴ）
基準色変換ＬＵＴおよび補正色変換ＬＵＴは、ＲＧＢ色空間における１７×１７×１７個の格子点を規定して、これらの格子点（色データ）のそれぞれについて、印刷時に吐出されるインク量を４色のそれぞれについて対応づけたデータである。なお、格子点の数や分布については、他の値とすることもできる。
【００２８】
基準色変換ＬＵＴは、印刷対象データが基準となる印刷品質で印刷されるように色変換処理を行うことのできる色変換ＬＵＴである。インクカートリッジ４の交換直後にはインク残量が均等であるため、プリンタードライバー１２の初期設定では、色変換処理部２３は、基準色変換ＬＵＴを用いて色変換処理を行うように設定されている。一方、補正色変換ＬＵＴは、４色のうちの少なくとも１色のインクについて、色データに対応づけられたインク量が基準色変換ＬＵＴに定められている量よりも少ない色変換ＬＵＴである。色変換ＬＵＴ設定部２６は、基準色変換ＬＵＴに定められているインク量に対する削減率を決定し、この削減率に基づいて補正係数を決定して、補正色変換ＬＵＴを生成する。補正色変換ＬＵＴは、１つあるいは複数生成することができ、複数生成する場合には、生成した補正色変換ＬＵＴの中からいずれか１つを選択して、印刷ジョブの実行に用いる。
【００２９】
補正色変換ＬＵＴを生成するとき、基準色変換ＬＵＴに定められているインク量に対する削減率は、入力された印刷対象データを入力された印刷枚数の記録紙に印刷したときの総インク消費量が、４色全てについて、検出されたインク残量以下となるように決定される。色変換ＬＵＴ設定部２６は、インク残量検出部２４によって検出されたインク残量と、印刷枚数入力部２８への入力値（印刷枚数）と、ドライバー上位層２１によってＲＧＢ多値データに変換された印刷対象データの３種類のデータを用いて、削減率および補正係数を決定する。補正係数は、インクの色毎に決定されるか、あるいは、複数の色について共通の補正係数を用いるように決定される。また、補正係数は、４色全てあるいはその一部について決定される。例えば、ＣＭＹの３色については削減率を３０％とし、黒インクＫについては削減率を１０％とすることができるが、この場合、ＣＭＹの３色については補正係数を０．７とし、黒インクＫについては補正係数を０．９とする。色変換ＬＵＴ設定部２６は、基準色変換ＬＵＴを構成する全ての格子点について、補正係数を決定した色のインク量データに補正係数を乗じる。これにより、補正色変換ＬＵＴが生成される。なお、このような補正色変換ＬＵＴの生成方法は一例であり、他の方法で生成してもよい。
【００３０】
（印刷処理）
図２は印刷ジョブの実行処理のフローチャートである。本例では、プリンタードライバー１２は、色変換処理部２３によって行われる色変換処理に用いられる印刷実行用色変換ＬＵＴを、印刷ジョブ毎に切り換えるものとする。プリンタードライバー１２は、アプリケーションプログラム１１から印刷指令と共に画像などの印刷対象データの供給を受けると、まず、印刷枚数入力部２８によってディスプレイ８にダイアログボックスを表示して、印刷枚数の入力を受け付ける（ステップＳ１）。次に、ドライバー上位層２１によって、印刷対象データの各画素をＲＧＢ多値データに変換する（ステップＳ２）。更に、インク残量検出部２４がインクカートリッジ４内のインク残量をインクの色毎に検出する（ステップＳ３）。なお、ステップＳ１〜Ｓ３の処理は順序を入れ換えてもよく、並行して行っても良い。
【００３１】
続いて、色変換ＬＵＴ設定部２６は、印刷実行用色変換テーブルを決定する処理を行う（ステップＳ４）。この処理では、まず、補正色変換テーブルの生成の要否を判定する処理（ステップＳ４１）を行う。ステップＳ４１では、検出されたインク残量、入力された印刷枚数、および、入力された印刷対象データに基づき、基準色変換ＬＵＴを用いた場合に、インクカートリッジ４内の残存インクによって印刷対象データを入力された印刷枚数の記録紙に印刷できるか否かを判定する。具体的には、基準色変換ＬＵＴを用いて印刷した場合の総インク消費量を算出し、この総インク消費量がインク残量を上回るか否かを判定する。４色全てについて、総インク消費量がインク残量以下の場合には、ステップＳ４２に進み、基準色変換ＬＵＴを印刷実行用色変換テーブルとして設定する処理を行う。一方、４色のうちの１色でも、総インク消費量がインク残量を上回っている場合には、ステップＳ４３に進む。
【００３２】
ステップＳ４３では、色変換ＬＵＴ設定部２６は、補正色変換ＬＵＴを生成して、印刷実行用色変換テーブルとして設定する処理を行う。例えば、ステップＳ４１で算出した総インク消費量が４色全てについて検出されたインク残量以下に削減されるように、インクの削減率および補正係数を決定する。続いて、決定した補正係数を用いて基準色変換ＬＵＴを補正して、補正色変換ＬＵＴを生成する。しかる後に、生成した補正色変換ＬＵＴを印刷実行用色変換テーブルとして設定する。
【００３３】
印刷実行用色変換ＬＵＴが設定されると、色変換処理部２３は、印刷実行用色変換ＬＵＴを用いて印刷対象データをインク量データに変換する（ステップＳ５）。続いて、コマンド変換部２７は、色変換処理によって生成されたインク量データを印刷データに変換する（ステップＳ６）。そして、印刷データをインクジェットプリンター３に出力し（ステップＳ７）、インクジェットプリンター３で印刷する（ステップＳ８）。
【００３４】
なお、記憶部２５に画質確認用のテストパターンを記憶させておき、印刷実行用色変換ＬＵＴの設定後（ステップＳ４の後）に、基準色変換ＬＵＴを用いて色変換したテストパターンと、補正色変換ＬＵＴを用いて色変換したテストパターンの２つを並べて印刷するテスト印刷を行うこともできる。この場合には、テストパターンの印刷後に続けて印刷対象データの印刷処理（ステップＳ５〜Ｓ８）を実行してもよいし、あるいは、ステップＳ５〜Ｓ８の処理を一旦保留としておき、テストパターンの印刷後、ユーザーによって印刷対象データの印刷指示がプリンタードライバー１２に入力された場合にステップＳ５〜Ｓ８を実行してもよい。
【００３５】
また、印刷実行用色変換ＬＵＴを決定するにあたって、基準色変換ＬＵＴを用いるとインクが不足して入力された印刷枚数を印刷できない場合（ステップＳ４１：Ｎｏ）に、上記のように補正色変換ＬＵＴをその都度生成する代わりに、予め定めておいた複数の色変換ＬＵＴの中から選択したものを印刷実行用色変換ＬＵＴに設定することもできる。この場合には、記憶部２５に、基準色変換ＬＵＴとは異なる色変換ＬＵＴを記憶させておく。これらの色変換ＬＵＴは、同一の色に対応付けられているインク量が互いに異なっているものとする。すなわち、記憶部２５に記憶されている色変換ＬＵＴは、基準色変換ＬＵＴに定められているインク量に対する削減率が互いに異なっている。色変換ＬＵＴ設定部２６は、記憶部２５に記憶されている複数の色変換ＬＵＴの中から、入力された印刷対象データを入力された印刷枚数だけ印刷する場合の総インク消費量が、検出されたインク残量以下になるものを選択する。このとき、インク量の削減率が最も小さい色変換ＬＵＴを選択することにより、入力された印刷枚数を確実に印刷しつつ、印刷品質の劣化をできるかぎり少なくすることができる。
【００３６】
以上のように、本形態では、印刷ジョブを行う毎にインク残量を検出して、検出したインク残量と、入力された印刷枚数および印刷データに基づいて印刷実行用色変換ＬＵＴを設定し、印刷を実行する。例えば、基準色変換ＬＵＴを補正して生成した補正色変換ＬＵＴを用いて印刷を実行する。あるいは、複数の色変換ＬＵＴの中からいずれかを選択して印刷を実行する。これにより、基準色変換ＬＵＴを用いて印刷するとインクが足りない場合においても、インク消費量を調整して印刷枚数を増やすことができ、入力された枚数を確実に印刷できる。また、インク消費量を過剰に減らさないように印刷実行用色変換ＬＵＴを決定できる。よって、印刷品質を過剰に低下させずに入力された枚数を印刷できる。
【００３７】
（他の実施形態）
上記の形態は、インクジェットプリンター３とホストコンピューター２を備え、ホストコンピューター２で動作するプリンタードライバー１２がインク残量、印刷枚数、印刷対象データに応じて印刷実行用色変換ＬＵＴを設定する形態（印刷システム１）であったが、インクジェットプリンター３とホストコンピューター２とを一体化させ、インクジェットプリンター３でプリンタードライバー１２を動作させるように構成することもできる。
【符号の説明】
【００３８】
１…印刷システム、２…ホストコンピューター、３…インクジェットプリンター、４…インクカートリッジ、５…カートリッジ装着部、６…インクジェットヘッド、７…制御部、８…ディスプレイ、９…入力装置、１０…ＯＳ、１１…アプリケーションプログラム、１２…プリンタードライバー、２１…ドライバー上位層、２２…画像処理モジュール、２３…色変換処理部、２４…インク残量検出部、２５…記憶部、２６…色変換ＬＵＴ設定部、２７…コマンド変換部、２８…印刷枚数入力部、Ｃ…シアンインク、Ｋ…黒インク、Ｍ…マゼンダインク、Ｙ…イエローインク、
【図１】
2014166685.tif 000003
【図２】
2014166685.tif 000004